(57)【要約】      （修正有）【課題】ディスクに取り付けられた清掃ブラシが、高速回転時の風圧振動等によっても影響を受けず固定位置を保つようにしたレンズクリーニングディスクを提供する。【解決手段】ディスクの盤面に貫通孔３を穿ち、該貫通孔に糸状の清掃ブラシ１０の端部を挿通して垂直部をディスクの下面に所定長さに突設し、ディスクの上面に配置した粘着性のシール材３０によって清掃ブラシの上端水平部をディスクに固定するレンズクリーニングディスクであり、水平部とディスクの間に両面テープを介装し、水平部とディスク上面を両面テープで固定する。【選択図】図２
0003143597.tif 000002
【実用新案登録請求の範囲】
【請求項１】
ディスクの盤面に貫通孔を穿ち、該貫通孔に糸状の清掃ブラシの端部を挿通して垂直部をディスクの下面に所定長さに突設し、ディスクの上面に配置した粘着性のシール材によって清掃ブラシの上端水平部をディスクに固定するレンズクリーニングディスクにおいて、前記水平部とディスクの間に両面テープを介装し、水平部とディスク上面を両面テープで固定してなることを特徴とするレンズクリーニングディスク。
【請求項２】
前記清掃ブラシが側面ほゞ逆Ｌ字形、逆Ｕ字形、Ｔ字形に形成されたものであることを特徴とする請求項１記載のレンズクリーニングディスク。
【請求項３】
両面テープは、清掃ブラシ水平部の全体又は一部に取り付けられるものであることを特徴とする請求項１又は２記載のレンズクリーニングディスク。
【請求項４】
清掃ブラシの水平部該当個所のディスク上面に浅い凹陥部が形成され、該凹陥部に両面テープの下部が嵌入し上部がディスク上に突出するものであることを特徴とする請求項１〜３のいずれかに記載のレンズクリーニングディスク。
【考案の詳細な説明】
【技術分野】
【０００１】  本考案は、清掃ブラシの固定手段を備えたレンズクリーニングディスクに関する。
【背景技術】
【０００２】  ＣＤ・ＤＶＤ等のディスク再生装置における光ピックアップレンズの表面に付着した埃や繊維塵などの異物を除去するための手段として、再生ディスクと同形のディスクに平面長方形の取り付け溝を形成して溝内にクリーニング用ブラシを植設したもの（例えば特許文献１参照）や、盤面に貫通孔を形成し該貫通孔より逆Ｌ字形若しくは逆Ｕ字形とした糸状の清掃ブラシの端部を挿通して盤面下部より突出させたもの（例えば特許文献１及び２参照）などがあり、現在では後者の貫通孔より突出する糸状清掃ブラシを用いたものが汎用されている。
【特許文献１】実用新案登録第２５４６５７４号公報
【特許文献２】特開２００２−９２８３０号公報（図２）
【特許文献３】登録実用新案第３０５２９６９号公報（図４）
【考案の開示】
【考案が解決しようとする課題】
【０００３】  盤面にあけた貫通孔より清掃ブラシを突出し、その先端部を光ピックアップレンズの表面に接触させて埃などを払拭する手法の場合、清掃ブラシ基部はディスクの片面において粘着性のシール材などによって固定されるのが普通である。ところで最近は高速回転するディスクが多く、このため盤面に固定した清掃ブラシが回転風圧の影響を受けやすい環境にあり、シール材が存在しても清掃ブラシが微妙に移動してレンズ表面に接触する度合いが強くなったり極端な場合、ディスクからブラシが脱出してしまうなどの不具合があった。特許文献２に記載のクリーナーは、図５に示すように、ディスク５０にあけた貫通孔５１に逆Ｌ字形に屈曲した清掃ブラシ５２の垂直部５２ａを挿通し、ディスク５０の上面に清掃ブラシ５２の水平部５２ｂを位置させてその上面にシール材５３を接着して水平部５２ｂをディスク５０に固定する構成を採っている。このケースではディスク５０の上面片側に屈曲した水平部５２ｂを固定するためバランスが悪く、垂直部５２ａに下方への引っ張り力が働いた場合シール材５３に抗して水平部５２ｂが位置ずれしたり甚だしい場合は清掃ブラシ５２が貫通孔５１から脱出するおそれがあった。【０００４】  特許文献３に記載のクリーナーは、図６に示すようにディスク６０にあけた一対の貫通孔６１に逆Ｕ字形に屈曲した清掃ブラシ６２の左右垂直部６２ａを挿通して左右を均等長さにディスク６０より突出させるとした構成であり、ディスク６０の上面に位置する水平部６２ｂにシール材６３を接着して清掃ブラシ６２を固定するものである。このケースでは一対の貫通孔６１に清掃ブラシ６２の左右がバランスよく挿通されるので片側が極端に飛び出すようなおそれはなく比較的安定した状態で使用できるが、シール材６３は特許文献２に記載のものと同様に水平部６２ｂの上面に配置するものであるから接着力が弱まると水平部６２ｂが左右いずれかに偏位して清掃ブラシ６２の垂直部６２ａの突出長さに変動をきたす懸念があり、垂直部６２ａの長さが異なると、レンズに対する接触度合いにも影響を及ぼすという問題があった。【０００５】  本考案はこのような現状に鑑みて創案されたもので、ディスクに装置した清掃ブラシが回転風圧等によっていささかも妄動することがなく、また従来の清掃ブラシをそのまゝ使用でき、光ピックアップレンズ表面の付着塵を確実に払拭できるレンズクリーニングディスクを提供することを目的としている。
【課題を解決するための手段】
【０００６】  上記目的を達成するために本考案は、ディスクの盤面に貫通孔を穿ち、該貫通孔に糸状の清掃ブラシの端部を挿通して垂直部をディスクの下面に所定長さに突設し、ディスクの上面に配置した粘着性のシール材によって清掃ブラシの上端水平部をディスクに固定するレンズクリーニングディスクにおいて、前記水平部とディスクの間に両面テープを介装し、水平部とディスク上面を両面テープで固定してなることを特徴とする。【０００７】  前記清掃ブラシが側面ほゞ逆Ｌ字形、逆Ｕ字形、Ｔ字形に形成されたものであることを特徴としている。【０００８】  前記両面テープは、清掃ブラシ水平部の全体又は一部に取り付けられるものであることを特徴とする。【０００９】  清掃ブラシの水平部該当個所のディスク上面に浅い凹陥部が形成され、該凹陥部に両面テープの下部が嵌入し上部がディスク上に突出するものであることを特徴とする。
【考案の効果】
【００１０】  本考案は、清掃ブラシの水平部とディスク上面との間に介在させた両面テープによって水平部がシール材だけでなく二重の固定手段によってディスクと強固に結合し、このためディスクの高速回転による風圧等によっても取り付け状態にブレを生ずることがなく、当初の固定状態を保持してブラシ端部が光ピックアップレンズとの適切な接触を保ち、所期するクリーニング効果を長期にわたり維持できる。【００１１】  元々清掃ブラシは水平部上面のシール材によって固定されたものであり、したがって水平部下面に位置する両面テープは必ずしも水平部の全体に取り付けなくてもよく、例えば清掃ブラシが逆Ｕ字形で左右の間隔が広い場合などは、その中間又は左右の垂直部近傍に取り付けるだけでも十分に効果が発揮できる。また本考案は従来の清掃ブラシの構成を変える必要もなく直ちに実施できるなど簡単且つ安価に提供できる実益がある。
【考案を実施するための最良の形態】
【００１２】  本考案の実施形態を図面を参照して説明すると、図１は平面から見た概略を示すものでディスク１は通常の再生ディスクと同形で中心孔２の左右に、円形状とした両面テープ２０、その上面に両面テープ２０よりも大形の粘着性シール材３０を備えた糸状の清掃ブラシ１０が取り付けられている。なお図は一例であり清掃ブラシ１０の取り付け位置・個数両面テープ２０の大きさ・形状などは任意に設定できること勿論である。【００１３】  図２は要部の断面を示し、（ａ）において清掃ブラシ１０は逆Ｌ字形でディスク１にあけた貫通孔３に垂直部１１が挿通され、水平部１２がディスク１の上面に配置される。そしてディスク１と水平部１２の間に前記した両面テープ２０が介装され、両面テープ２０の粘着層により、水平部１２はディスク１面に確固結合するとともに、更に水平部１２の上面に位置するシール材３０によって水平部１２がディスク１に固定され、したがって水平部１２は両面テープ２０とシール材３０によってディスク１面に二重に固定されることとなる。固定された清掃ブラシ１０は垂直部１１の端部がディスク１下方に位置する光ピックアップレンズ４０の表面に接して付着した埃などを払拭する。シール材３０のみによる固定手段では高速回転するディスク１の風圧や振動によって清掃ブラシ１０の水平部１２がシール材３０に抗して移動するおそれがあるが、図示のように両面テープ２０を介装することで摩擦力が働き、清掃ブラシ１０がディスク１面に強力に固定されて動揺することがない。なお両面テープ２０は図では円形で清掃ブラシ１０の垂直部１１が中心部を通る構成となっているが、水平部１２の下面に位置する構成であれば形状に限定はない。【００１４】  （ｂ）は水平部１２が該当するディスク１面に浅い凹陥部４を形成した例であり、この凹陥部４に両面テープ２０の下部が嵌入する。両面テープ２０の上部はディスク１面より少しく飛び出していてこの部分に水平部１２の下面が密着して固定され、水平部１２の上面に（ａ）と同様シール材３０が密着し、この場合も水平部１２は両面テープ２０とシール材３０によって固定される。この例では両面テープ２０の下部が凹陥部４内にあるため両面テープ２０自体も一層不動状に位置決めされるとともにテープ２０の上部がディスク１面にわずかに飛び出すだけですみ、ディスク１の設置空間が狭いカープレーヤーなどの装置にも適合する。【００１５】  図３は清掃ブラシ１０を逆Ｕ字形とした他の例を示す。このケースではディスク１に一対の貫通孔３が形成されて清掃ブラシ１０の両側にある垂直部１１が夫々貫通孔３に挿通され、ディスク１の下面に端部が均等長さに突出する。そして清掃ブラシ１０の水平部１２の下面にある両面テープ２０がディスク１と水平部１２を固定し、また水平部１２の上面にあるシール材３０によって清掃ブラシ１０がディスク１と固定されるのでこの場合も第一の例と同様二重の固定手段によって清掃ブラシ１０はディスク１と結合する。【００１６】  （ａ）は一対の貫通孔３の間隔が狭く、（ｂ）は間隔が広い例を示している。（ｂ）のように貫通孔３がかけ離れている場合は清掃ブラシ１０の水平部１２も長くなるため、水平部１２の全体に両面テープ２０を取り��ける必要はなく、左右垂直部１１近傍の水平部１２に両面テープ２０を各別に取り付けることで十分な機能を発揮できる。【００１７】  図４は清掃ブラシ１０をＴ字形とした他の例を示すもので、水平部１２の中心から下方に延びる垂直部１１がディスク１の貫通孔３に挿通され、水平部１２の下面両側に両面テープ２０が位置してディスク１の上面と接着している。この例でも水平部１２の上面にシール材３０が存在するため二重の固定手段によって清掃ブラシ１０がディスク１に確固として取り付けられる。【００１８】  上記図３、図４に示した逆Ｕ字形・Ｔ字形の清掃ブラシ１０の水平部１２に取り付ける両面テープ２０該当個所のディスク１面にも第一の実施形態で示した凹陥部４を設けることができ、更には清掃ブラシ１０も本考案の目的効果を奏する範囲において任意の形体としたり異なる形体の清掃ブラシをディスク上に設けることもできる。なお両面テープ２０はこの種分野で使用される一般的な素材のものを利用できるので、材質などについては説明を省略する。
【図面の簡単な説明】
【００１９】
【図１】本考案を示す平面から見た概略図である。
【図２】（ａ）は要部を示す断面図、（ｂ）は（ａ）のディスクに凹陥部を形成した断面図である。
【図３】（ａ）は清掃ブラシを通常の逆Ｕ字形とした例を示す断面図、（ｂ）は間隔幅の広い清掃ブラシの例を示す断面図である。
【図４】清掃ブラシをＴ字形とした例を示す断面図である。
【図５】従来の逆Ｌ字形清掃ブラシの取り付け例を示す断面図である。
【図６】従来の逆Ｕ字形清掃ブラシの取り付け例を示す断面図である。
【符号の説明】
【００２０】  １    ディスク
３    貫通孔
４    凹陥部
１０  清掃ブラシ
１１  垂直部
１２  水平部
２０  両面テープ
３０  シール材
【図１】
0003143597.tif 000003
【図２】
0003143597.tif 000004
【図３】
0003143597.tif 000005
【図４】
0003143597.tif 000006
【図５】
0003143597.tif 000007
【図６】
0003143597.tif 000008